(57)【特許請求の範囲】
【請求項１】
液体を含んだ実験用機器類を載置し、同実験用機器類から漏出した液体を導入する通孔が上面に形成された棚部材と、同棚部材の下側に設けられ上記通孔に流入し落下する液体を受け入れるための容器とを有する実験用機器類載置棚装置が、天板の上面に立設固定されていることを特徴とする、実験台。
【請求項２】
請求項１に記載の実験台において、上記通孔に、上記実験用機器類を拘束するベルトの先端止具が係止されることを特徴とする、実験台。
【請求項３】
請求項１または２に記載の実験台において、上記棚部材の周縁に沿い、同棚部材上に流出した液体を堰止める液密のフェンスが立設されたことを特徴とする、実験台。
【請求項４】
請求項３に記載の実験台において、上記実験用機器類に接続された電源ケーブルや信号ケーブル類の余長中間条体部を収容しうるダクト部材が、水平状態で上記フェンスに引掛けられるフック部をそなえて装着されたことを特徴とする、実験台。
【請求項５】
請求項４に記載の実験台において、上記ダクト部材の壁部に、上記余長中間条体部の出入を許容する複数の窓穴が形成されていることを特徴とする、実験台。
【請求項６】
請求項１〜５のいずれか１つに記載の実験台において、上記容器の底部に排液口が形成され、同排液口に接続された排液管と、同排液管を通じ排液を受ける下部容器とが設けられたことを特徴とする、実験台。
【請求項７】
請求項３〜５のいずれか１つに記載の実験台において、上記フェンスが、上記棚部材の上面を形成する板材の曲げ加工により同棚部材の上面と一体に構成され、同フェンスの内側面が上記棚部材の上面に対し鈍角をなすように傾斜するとともに、同フェンスの外側面がほぼ鉛直面をなすように形成されていることを特徴とする、実験台。
【請求項８】
請求項１〜７のいずれか１つに記載の実験台において、上記棚部材の上面に、同棚部材上の実験用機器類に接続された液体流通用チューブを通して下方へ延在させるための小孔が形成され、同小孔の内周縁と上記チューブの外周面との間を液密に塞ぐリング状パッキンが設けられていることを特徴とする、実験台。
【発明の詳細な説明】
【０００１】
【発明の属する技術分野】
本発明は、実験台に関し、特に棚部材上に載置された実験用機器類から液体が漏出した場合に対処できるようにするとともに、高速クロマトグラフ分析装置などの使用時の利便性も図れるようにした実験台に関する。
【０００２】
【従来の技術】
一般に実験台では、同実験台上の棚部材に載置された実験用機器類が地震などの際に倒れないように、同棚部材に先端部を取り付けられるベルトで、上記実験用機器類を拘束することが提案されている。
【０００３】
【発明が解決しようとする課題】
ところで、前述のように実験台上の棚部材に載置された実験用機器類がベルトで拘束されると、その転倒は防止されるが、激しく揺れると同機器類に含まれた液体が漏出する恐れがあり、このようにして棚部材の下方へ液体が垂れ落ちると、同棚部材の直下に設けられた他の実験用機器類に上記液体が降りかかって、同機器類の損傷を招く恐れがある。
【０００４】
そこで本発明は、棚部材上に載置された実験用機器類から液体が漏出した場合でも、その漏洩液体を適切に受け止められるようにして、同棚部材の直下の他の実験用機器類を防護できるようにし、また液体クロマトグラフ分析装置などから流出する液体の処理も能率よく行えるようにした実験台を提供することを課題とする。
【０００５】
【課題を解決するための手段】
前述の課題を解決するため、本発明の実験台は、液体を含んだ実験用機器類を載置し、同実験用機器類から漏出した液体を導入する通孔が上面に形成された棚部材と、同棚部材の下側に設けられ上記通孔に流入し落下する液体を受け入れるための容器とを有する実験用機器類載置棚装置が、天板の上面に立設固定されていることを特徴としている。
【０００６】
また、本発明の実験台は、上記通孔に、上記実験用機器類を拘束するベルトの先端止具が係止されることを特徴としている。
【０００７】
さらに、本発明の実験台は、上記棚部材の周縁に沿い、同棚部材上に流出した液体を堰止める液密のフェンスが立設されたことを特徴としている。
【０００８】
また、本発明の実験台は、上記実験用機器類に接続された電源ケーブルや信号ケーブル類の余長中間条体部を収容しうるダクト部材が、水平状態で上記フェンスに引掛けられるフック部をそなえて装着されたことを特徴としている。
【０００９】
さらに、本発明の実験台は、上記ダクト部材の壁部に、上記余長中間条体部の出入を許容する複数の窓穴が形成されていることを特徴としている。
【００１０】
また、本発明の実験台は、上記容器の底部に排液口が形成され、同排液口に接続された排液管と、同排液管を通じ排液を受ける下部容器とが設けられたことを特徴としている。
【００１１】
さらに、本発明の実験台は、上記フェンスが、上記棚部材の上面を形成する板材の曲げ加工により同棚部材の上面と一体に構成され、同フェンスの内側面が上記棚部材の上面に対し鈍角をなすように傾斜するとともに、同フェンスの外側面がほぼ鉛直面をなすように形成されていることを特徴としている。
【００１２】
また、本発明の実験台は、上記棚部材の上面に、同棚部材上の実験用機器類に接続された液体流通用チューブを通して下方へ延在させるための小孔が形成され、同小孔の内周縁と上記チューブの外周面との間を液密に塞ぐリング状パッキンが設けられていることを特徴としている。
【００１３】
上述の本発明の実験台では、地震などに際して、実験用機器類を載置する棚部材の上面に、同棚部材上の実験用機器類から薬液などの液体が漏出した場合に、同棚部材の上面に形成された通孔を通じて上記の漏出した液体が流下し、同棚部材の下側に装着された容器で受止められるので、同液体が上記棚部材の下方に設置された他の実験用機器類を損傷させるのを十分に防止することができる。
【００１４】
また、上記通孔に上記実験用機器類を拘束するベルトの先端止具が係止されるようになっていると、上記通孔が漏洩液体の集液孔とベルト先端止具の係止孔とを兼ねることになり、構造の簡素化がもたらされるようになる。
【００１５】
さらに、上記棚部材の周縁に沿い、同棚部材上に流出した漏洩液体を堰止める液密のフェンスが立設されていると、上記漏洩液体が前記の通孔に入りきれずに上記棚部材上面に沿い流出して下方へ垂れ落ちるのを十分に防止することができる。
【００１６】
また、上記実験用機器類に接続された電源ケーブルや信号ケーブル類の余長中間条体部を収容しうるダクト部材が、フック部を介し水平状態で上記フェンスに引掛けられるようになっていると、従来、実験台の裏側などにもつれ込んでいた電源ケーブルなどの余長中間条体部が整理されるようになって、実験用機器類の入換え作業などが大幅に簡便化されるようになる。
【００１７】
さらに、上記ダクト部材の壁部に、上記余長中間条体部の出入を許容する複数の窓穴が形成されていると、実験用機器類に接続された前記の電源ケーブルや可撓チューブ類の配置および処理操作が、無駄なく適切に行なわれるようになる。
【００１８】
また、棚部材下側の容器の底部に排液口を形成して、同排液口に接続された排液チューブを介し下部容器に排液を受ける構成になっていると、上記下部容器の交換だけで排液の処理が著しく容易に行われるようになり、棚部材下側の容器をいちいち取外さなくてすむ利点が得られる。
【００１９】
さらに、上記棚部材の周縁に設けられるフェンスが、上記棚部材の上面を形成する板材の曲げ加工により同棚部材の上面と一体に構成されて、同フェンスの内側面が上記棚部材の上面に対し鈍角をなす傾斜面として形成され、同フェンスの外側面がほぼ鉛直面をなすように形成されていると、上記フェンスの剛性が増して強度上有利になるとともに、液漏れを起こすことが無く、製作時の工程が絞り加工などにより簡易化されるようになり、また上記フェンスに膨らみをもたせることができるので、見栄えも向上する。
【００２０】
また、上記棚部材の上面に、同棚部材上の液体クロマトグラフィーによる分析などのための実験用機器類から下方へ延在する液体流通用チューブを通過させるようにした小孔が形成されて、同小孔の内周縁と上記チューブの外周面との間を密封するリング状パッキンが設けられると、液体処理を伴う実験用機器類の上記棚部材上への搭載が支障なく行われ、しかも棚部材上面への液体漏洩事故が生じても上記パッキンにより棚部材から下方への液体漏洩は防止され、漏洩液は棚部材に形成された前述の液体導入用通孔を介し同通孔の下方の容器に安全に受け入れられるようになる。
【００２１】
【発明の実施の形態】
以下、図面により本発明の実施形態について説明すると、図１は液体クロマトグラフィーによる分析などに用いられる本発明の一実施形態としての実験台の正面図、図２は図１のＡ矢視側面図、図３は図１のＢ矢視平面図、図４は図１のＣ−Ｃ断面拡大図、図５は図１の実験台の一部の使用状態を示す斜視図、図６は図１の実験台の変形例における一部の使用状態を示す斜視図、図７は図６の棚部材のフェンスに引掛けられて使用される小物入れを示す斜視図であり、図８は図５におけるダクト部材の端面図である。また、図９は図４の要部の変形例を示す断面図、図１０は図９のＤ矢視図、図１１は図９の棚部材の一部を示す断面図、図１２は図１１に示すパッキンの付近の拡大図、図１３は図１１に示す棚部材をそなえた実験台の要部斜視図、図１４は図１３に示す実験台の天板の一部を示す斜視図、図１５は図１４の天板に用いられているリング部材およびスペーサの分解図、図１６は図４の装置の他の変形例を示す断面図である。
【００２２】
図１〜３に示すように、天板１ａを支持脚１ｂで支えるようにした実験台１において、天板１ａの上面に、電源ケーブル等の通過配設を許容しうる複数の中空の柱体ユニット２が立設固定されており、両側部の柱体ユニット２，２の中間部を相互に強固に連結する中空のビームユニット３が水平に架設されている。そして両側部の柱体ユニット２，２の相互間には棚部材４が着脱可能に架設されていて、同棚部材４上には図５，６に示すように実験用機器類５が搭載され、同機器類５には電源ケーブルや信号ケーブル類14が接続されるほか、流体を通す可撓チューブ類14ｐが接続されている。
【００２３】
また、棚部材４の上面には、図３および図４に示すように棚部材４上に載置された実験用機器類５（図６参照）から地震などの際に同棚部材４上に漏出した液体を能率よく導入する２条の互いに平行な通孔６が形成されており、同通孔６に流入し落下する液体を受け入れるための容器７が、棚部材４の下側に着脱可能に設けられている。
【００２４】
すなわち、棚部材４の下面に一端を支軸８ａで枢着された支持腕８が、容器７の下面を支えるようになっており、同支持腕８を９０°まわすことにより容器７が取り出せるようになっている。
【００２５】
また、通孔６は棚部材４上の実験用機器類５を拘束するためのベルト９の先端止具10のための係止溝を兼ねており、図６に示すように先端止具10の下端部10ａが通孔６を経由して降下した後、鉛直軸まわりの９０°の旋回により、先端止具10の狭隘部10ｂが通孔６の縁部に係合して存在する状態で、先端止具10の係止が行なわれるようになっている。
【００２６】
さらに、図４〜６に示すように、棚部材４の周縁に沿い、同棚部材４の上面における実験用機器類５から流出した液体を堰止めうる液密のフェンス11が立設されている。
【００２７】
このフェンス11には、図５に示すダクト部材12や図７に示す小物入れ13などが、それぞれフック部12ａ，13ａを介し水平状態で引掛けられるようになっており、特にダクト部材12は実験用機器類５に接続された電源ケーブルや信号ケーブル類14の余長中間条体部14ａを収容しうるようになっているほか、同余長中間条体部14ａの出入を許容しうる複数の窓穴12ｂが形成されている。そして、ダクト部材12の側面には着脱可能のプラスチック製カバー12ｃが取り付けられており、同カバー12ｃの着脱はダクト部材12の端面を示す図８から明らかなように、弾性的に行なわれるようになっている。なお、図５における符号15はＯＡタップを示す。
【００２８】
上述の本実施形態の実験台では、地震などに際して、実験用機器類５を載置する棚部材４の上面に、同棚部材４上の実験用機器類５から可撓チューブ類14ｐが外れて薬液などの液体が漏出した場合に、同棚部材４の上面に形成された通孔６を通じて上記の漏出した液体が流下し、同棚部材４の下側に装着された容器７で受止められるので、同液体が棚部材４の下方に設置された他の実験用機器類を損傷させるのを十分に防止することができる。
【００２９】
また、通孔６に実験用機器類５を拘束するベルト９の先端止具10が係止されるようになっているので、通孔６が漏洩液体の集液孔とベルト先端止具10の係止孔とを兼ねることになり、構造の簡素化がもたらされるようになる。
【００３０】
さらに、棚部材４の周縁に沿い、同棚部材４上に流出した漏洩液体を堰止める液密のフェンス11が立設されているので、上記漏洩液体が前記の通孔６に入りきれずに棚部材４の上面に沿い流出して下方へ垂れ落ちるのを十分に防止することができる。
【００３１】
また、実験用機器類５に接続された電源ケーブルや信号ケーブル類14の余長中間条体部14ａを収容しうるダクト部材12が、フック部12ａを介し水平状態でフェンス11に引掛けられるようになっているので、従来、実験台１の裏側などにもつれ込んでいた電源ケーブルなどの余長中間条体部14ａが整理されるようになって、実験用機器類５の入換え作業などが大幅に簡便化されるようになる。
【００３２】
さらに、ダクト部材12の壁部に、余長中間条体部14ａの出入を許容する複数の窓穴12ｂが形成されているので、実験用機器類５に接続された電源ケーブルや信号ケーブル類14の配置および処理操作が、無駄なく適切に行なわれるようになる。またダクト部材12の側面にカバー12ｃが着脱自在に設けられているので、ケーブル類の余長中間条体部14ａの処理操作が一層簡便化される。
【００３３】
なお、上述の実施形態では通孔６が細長い溝穴状に形成されているが、棚部材４の上面に多数の偏平な円錐状の凹みを形成して、各凹みの中央部に通孔６を形成するようにしてもよく、この場合は各通孔６に共通の偏平な容器７が設けられる。
【００３４】
次に本発明の他の実施形態について説明すると、図９は図４の要部の変形例を示すもので、この変形例では、容器７の底部に、下方へ突出したパイプ状の排液口７ａが設けられ、この排液口７ａには、図１０（図９のＤ矢視図）に示すように排液管としてのチューブ16が着脱可能に装着されて、同チューブ16の下端部はプラスチック製の持ち運び式下部容器20の内部に挿入されるようになっている。
【００３５】
また、図９に示すように、棚部材４のフェンス11は、棚部材４の上面４ａを形成する板材の曲げ加工により、同棚部材４の上面４ａと一体に形成され、同フェンス11の内側面11ａが棚部材４の上面４ａに対し鈍角をなすように傾斜するとともに、同フェンス11の外側面11ｂがほぼ鉛直面をなすように形成されている。
【００３６】
さらに、上述の棚部材４の上面４ａには、図１１，図１２および図１３に示すように、棚部材４上の高速液体クロマトグラフィーによる分析実験用機器類５に接続された液体流通用チューブ５ａを通過させて下方へ延在させるための小孔４ｂが形成され、同小孔４ｂの内周縁とチューブ５ａの外周面との間を液密に塞ぐゴム製またはプラスチック製のリング状パッキン18が設けられている。そして、チューブ５ａの下端部は、他の下部容器20ａに挿入される。
【００３７】
なお、実験台１の天板１ａにもチューブ５ａを挿通させるように図１４に示すごとく小孔19が形成され、図１５に示すように、この小孔19の内周に摩擦係合するプラスチック製のリング19ａと、同リング19ａに嵌め込まれて複数のチューブの相互間を分離するスペーサ19ｂとが設けられている。そして、スペーサ19ｂにはチューブを挿入する凹溝19ｃが形成されている。
【００３８】
上述のように、棚部材下側の容器７の底部に排液口７ａを形成して、同排液口７ａに接続された排液チューブ16を介し下部容器20に排液を受ける構成になっていると、下部容器20の交換だけで排液の処理が著しく容易に行われるようになり、棚部材下側の容器７をいちいち取外さなくてすむ利点が得られる。
【００３９】
さらに、棚部材４の周縁に設けられるフェンス11が、棚部材４の上面４ａを形成する板材の曲げ加工により同棚部材４の上面４ａと一体に構成されて、同フェンス11の内側面11ａが棚部材４の上面４ａに対し鈍角をなす傾斜面として形成され、同フェンス11の外側面11ｂがほぼ鉛直面をなすように形成されているので、フェンス11の剛性が増して強度上有利になるとともに、液漏れを起こすことが無く、製作時の工程が絞り加工などにより簡易化されるようになり、またフェンス11に膨らみをもたせることができるので、見栄えも向上する。
【００４０】
また、棚部材４の上面４ａに、同棚部材４上の液体クロマトグラフィーによる分析などのための実験用機器類から下方へ延在する液体流通用チューブ５ａを通過させるようにした小孔４ｂが形成されて、同小孔４ｂの内周縁とチューブ５ａの外周面との間を密封するリング状パッキン18が設けられるので、液体処理を伴う実験用機器類５の棚部材４上への搭載が支障なく行われ、しかも棚部材上面４ａへの液体漏洩事故が生じてもパッキン18により棚部材４から下方への液体漏洩は防止され、漏洩液は棚部材４に形成された前述の液体導入用通孔６を介し同通孔６の下方の容器７に安全に受け入れられるようになる。なお、図１６は図４の他の変形例を示しており、この実験台の例では、図１１における小孔４ｂに相当したチューブ５ａのための通孔と他の通孔６とが共に棚部材上面４ａに形成されている。
【００４１】
【発明の効果】
以上詳述したように、本発明の実験台によれば次のような効果が得られる。
(1) 地震などに際して、実験用機器類を載置する棚部材の上面に、同棚部材上の実験用機器類から薬液などの液体が漏出した場合に、同棚部材の上面に形成された通孔を通じて上記の漏出した液体が流下し、同棚部材の下側に装着された容器で受止められるので、同液体が上記棚部材の下方に設置された他の実験用機器類を損傷させるのを十分に防止することができる。
(2) 上記通孔に上記実験用機器類を拘束するベルトの先端止具が係止されるようになっていると、上記通孔が漏洩液体の集液孔とベルト先端止具の係止孔とを兼ねることになり、構造の簡素化がもたらされるようになる。
(3) 上記棚部材の周縁に沿い、同棚部材上に流出した漏洩液体を堰止める液密のフェンスが立設されていると、上記漏洩液体が前記の通孔に入りきれずに上記棚部材上面に沿い流出して下方へ垂れ落ちるのを十分に防止することができる。
(5) 上記実験用機器類に接続された電源ケーブルや信号ケーブル類の余長中間条体部を収容しうるダクト部材が、フック部を介し水平状態で上記フェンスに引掛けられるようになっていると、従来、実験台の裏側などにもつれ込んでいた電源ケーブルなどの余長中間条体部が整理されるようになって、実験用機器類の入換え作業などが大幅に簡便化されるようになる。
(6) 上記ダクト部材の壁部に、上記余長中間条体部の出入を許容する複数の窓穴が形成されていると、実験用機器類に接続された前記の電源ケーブルや信号ケーブル類の配置および処理操作が、無駄なく適切に行なわれるようになる。
(7) 棚部材下側の容器の底部に排液口を形成して、同排液口に接続された排液管（チューブ）を介し下部容器に排液を受ける構成になっていると、上記下部容器の交換だけで排液の処理が著しく容易に行われるようになり、棚部材下側の容器をいちいち取外さなくてすむ利点が得られる。
(8) 上記棚部材の周縁に設けられるフェンスが、上記棚部材の上面を形成する板材の曲げ加工により同棚部材の上面と一体に構成されて、同フェンスの内側面が上記棚部材の上面に対し鈍角をなす傾斜面として形成され、同フェンスの外側面がほぼ鉛直面をなすように形成されていると、上記フェンスの剛性が増して強度上有利になるとともに、液漏れを起こすことが無く、製作時の工程が絞り加工などにより簡易化されるようになり、また上記フェンスに膨らみをもたせることができるので、見栄えも向上する。
(9) 上記棚部材の上面に、同棚部材上の液体クロマトグラフィーによる分析などのための実験用機器類から下方へ延在する液体流通用チューブを通過させるようにした小孔が形成されて、同小孔の内周縁と上記チューブの外周面との間を密封するリング状パッキンが設けられると、液体処理を伴う実験用機器類の上記棚部材上への搭載が支障なく行われ、しかも棚部材上面への液体漏洩事故が生じても上記パッキンにより棚部材から下方への液体漏洩は防止され、漏洩液は棚部材に形成された前述の液体導入用通孔を介し同通孔の下方の容器に安全に受け入れられるようになる。
【図面の簡単な説明】
【００４２】
【図１】  本発明の一実施形態としての実験台の正面図である。
【図２】  図１のＡ矢視側面図である。
【図３】  図１のＢ矢視平面図である。
【図４】  図１のＣ−Ｃ断面拡大図である。
【図５】  図１の実験台の一部の使用状態を示す斜視図である。
【図６】  図１の実験台の変形例における一部の使用状態を示す斜視図である。
【図７】  図６の棚部材のフェンスに引掛けられて使用される小物入れを示す斜視図である。
【図８】  図５の棚部材のフェンスに引掛けられて使用されるダクト部材の端面図である。
【図９】  図４の要部の変形例を示す断面図である。
【図１０】  図９のＤ矢視図である。
【図１１】  図９の棚部材の一部を示す断面図である。
【図１２】  図１１に示すパッキンの付近の拡大図である。
【図１３】  図１１に示す棚部材をそなえた実験台の要部斜視図である。
【図１４】  図１３に示す実験台の天板の一部を示す斜視図である。
【図１５】  図１４の天板に用いられているリング部材およびスペーサの分解図である。
【図１６】  図４の実験台の他の変形例を示す断面図である。
【符号の説明】
【００４３】
１ 実験台
１ａ 天板
１ｂ 支持脚
２ 柱体ユニット
３ ビームユニット
４ 棚部材
４ａ 棚部材上面
４ｂ 小孔
５ 実験用機器類
５ａ チューブ
６ 通孔
７ 容器
７ａ 排液口
８ 支持腕
８ａ 支軸
９ ベルト
10 先端止具
10ａ 止具下端部
10ｂ 止具狭隘部
11 フェンス
11ａ フェンス内側面
11ｂ フェンス外側面
12 ダクト部材
12ａ フック部
12ｂ 窓穴
12ｃ カバー
13 小物入れ
13ａ フック部
14 電源ケーブル，信号ケーブル類
14ａ 余長中間条体部
14ｐ 可撓チューブ類
15 ＯＡタップ
16 排液管としてのチューブ
18 リング状パッキン
19 小孔
19ａ リング
19ｂ スペーサ
19ｃ 凹溝
20, 20ａ 下部容器
【図１】
0004245779.tif 000002
【図２】
0004245779.tif 000003
【図３】
0004245779.tif 000004
【図４】
0004245779.tif 000005
【図５】
0004245779.tif 000006
【図６】
0004245779.tif 000007
【図７】
0004245779.tif 000008
【図８】
0004245779.tif 000009
【図９】
0004245779.tif 000010
【図１０】
0004245779.tif 000011
【図１１】
0004245779.tif 000012
【図１２】
0004245779.tif 000013
【図１３】
0004245779.tif 000014
【図１４】
0004245779.tif 000015
【図１５】
0004245779.tif 000016
【図１６】
0004245779.tif 000017